(57)【要約】      （修正有）【課題】空間部の形状に応じてネットを適切に吊り張り移動／収納移動することのできるネット又はシート等の吊張体の吊張／収納システムを提供する。【解決手段】空間部の所望の箇所に設けられたウインチのドラムを回転駆動して空間部の上部側でその上端側を固定したネット又はシート等の吊張体の上端側より下端側に沿って直線状に取り付けられた挿通体に移動自在に挿通しネット又はシート等の吊張体の下端側等で固定したワイヤロープ等の吊張用紐状体を移動するネット又はシート等の吊張体の吊張／収納システムにおいて、前記ネット又はシート等の吊張体の吊り張りする際、該ネット又はシート等の吊張体の側面側に設けられた側面調整手段を用いて空間部の形状に応じて側面を吊り張り調整しネット又はシート等の吊張体を吊り張りする。【選択図】図１
2011115535.tif 000002
【特許請求の範囲】
【請求項１】
空間部の所望の箇所に設けられたウインチのドラムを回転駆動して空間部の上部側でその上端側を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の吊張体を空間部に吊り張りし、又は前記ワイヤロープ等の吊張用紐状体を巻き取り移動することでネット又はシート等の吊張体を空間部の上部側に収納するネット又はシート等の吊張体の吊張／収納システムにおいて、前記ネット又はシート等の吊張体を吊り張りする際、該ネット又はシート等の吊張体の側面側に設けられた側面調整手段を用いて空間部の側面側の形状に応じて側面を吊り張り調整しながらネット又はシート等の吊張体を吊り張りすることを特徴とするネット又はシート等の吊張体の吊張／収納システム。
【請求項２】
空間部の所望の箇所に設けられたウインチのドラムを回転駆動して空間部の上部側でその上端側を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の吊張体を空間部に吊り張りし、又は前記ワイヤロープ等の吊張用紐状体を巻き取り移動することでネット又はシート等の吊張体を空間部の上端側に収納するネット又はシート等の吊張体の吊張／収納システムにおいて、前記ネット又はシート等の吊張体を吊り張りする際、空間部の側面側の形状に応じてネット又はシート等の吊張体の側面側を引っ張り調整しながらネット又はシート等の吊張体の側面側に補助ネット又はシート等の吊張体を吊り張りし、ネット又はシート等の吊張体を収納する際、ネット又はシート等の吊張体の側面側を引っ張り調整しながら空間部の上部側に収納することを特徴とするネット又はシート等の吊張体の吊張／収納システム。
【発明の詳細な説明】
【技術分野】
【０００１】本発明は、空間部の上部側より吊り下げられたワイヤロープを巻取方式のウインチを用いて引き出し移動することで、該ワイヤロープに設けられたネット又はシートを空間部に吊り張りして間仕切り用又は防球用として使用し、ワイヤロープをウインチを用いて巻き取り移動することで、ネット又はシートを空間部の上端側に収納して空間部を開放するネット又はシート等の吊張体の吊張／収納システムに関する。
【背景技術】
【０００２】従来より、例えば、屋内用の施設として野球の試合を行うドーム型の屋内球技用施設、野球練習用の屋内球技用施設、又は屋外用の施設としてゴルフ練習場における施設内の空間部を囲むように吊り張りされた防球用のネットや空間部を目的に応じて間仕切りするネットは、空間部内に設置された複数台のウインチを連動して駆動し、各ウインチのドラムに巻回されたワイヤロープを引き出し又は巻き取り移動して、該ワイヤロープに取り付けられたネットを昇降移動するネットの吊張／収納システムを利用している。【０００３】上記屋内外用の施設に使用されるネットの吊張／収納システムは、空間部を使用目的に応じて間仕切り又は防球用として使用する大面積のネットと、該ネットの上端側より下端側に一定の間隔で直線状に取り付けられたリング体に挿通しネットの下端側で錘に連結、又は下端で直接床面に固定する複数本のワイヤロープと、該各ワイヤロープを巻回したドラムを用いて引き出し移動及び巻き取り移動する複数台の巻取方式のウインチと、ウインチの駆動を連動して制御するための制御盤とから構成されている。【０００４】上記ネットの吊張／収納システムを使用して、例えば屋内の空間部を間仕切りする場合は、空間部の上部側で間仕切り方向に沿って一定の間隔で直接、又は連結体を介して上端部を固定したネットを、空間部の上部側の形状に応じて制御盤でその駆動を制御した各ウインチを制御状況に応じて駆動し、該ウインチのドラムを回転してワイヤロープをネットの上端側より下端側に直線状に取り付けられたリング体に挿通した状態で順次引き出し移動することで、空間部の上部側に折り畳んで収納されたネットを下端側より順次広げながら空間部に沿って吊り張りし、空間部を間仕切りする。【０００５】次に、空間部を開放する場合は、各ウインチを制御状況に応じて上記と逆方向に駆動しドラムを逆回転してワイヤロープを巻き取り移動することでネットの下端側よりリング体部分で順次折り返して畳みながら空間部の上部側に位置させて収納して空間部を開放する。
【発明が解決しようとする課題】
【０００６】しかしながら、上記屋内施設は大空間部（高さ方向の距離が大きく、及びフィールド面の面積も広い）を有し、吊り張りするネットは上下及び左右方向に広い面積を有しその荷重が重く、さらにネットは中央側へ巻き付くように縮小する性質のために、上記のようなネットのリング体にワイヤロープを挿通しウインチを用いてワイヤロープを引き出し移動及び巻き取り移動するのみでは、ネットの側面中央部分及び下方側を空間部に適切に広げた状態で吊り張り、及び空間部の上部側への収納ができない。
【０００７】特に、空間部の上端側が水平でない場合、例えば、空間部の上端側の形状が円弧状等でネットの高さ方向の距離がそれぞれ相違する場合は、初期のウインチの駆動制御等の煩雑な作業を有するとともに高さ方向の距離が大きいためにワイヤロープの引き出し量及び巻き取り量が大きく、ワイヤロープに発生する捩じれ量が各ワイヤロープ間で大きく相違し、上記ネットの中央側へ巻き付くように縮小する性質が大きくなるという問題点があった。
【０００８】このため、上記システムではネットの下端側や側面側を手で直接引っ張ることでネットを空間部の形状に応じて調整する方法が用いられていたが、上記のようにネットの重荷重のためにその作業に多くの労力を要し、スムーズなネットの吊り張り調整がスムーズにできないという欠点があった。
【０００９】また、ネットを空間部の形状に応じて適切に広げた状態で吊り張り移動するために、ワイヤロープの下端側に取り付ける錘体の重量を重くすることでワイヤロープを直線状に下方側に引っ張りながら昇降移動することも可能であるが、ネットを収納する際、錘体も同様にネットとともに上端側の収納位置まで移動するために、空間部を開放して使用する場合に錘体の重量があると落下等の危険が大きくなるという問題点があった。
【００１０】さらに、ネットを吊り張りする空間部の側面側の中間部分は、観客席、通路等の設けられ突出部がある場合が多く、一枚のネットで適切に間仕切りすると、側面側のネットの一部分が突出部の下方に吊り張りされることとなり、複数枚のネットを組み合わせて、それぞれ別々に吊り張り移動しなければ適切なネットの吊り張り及び収納ができない。
【００１１】そこで、本発明は、空間部の形状に応じてネットを適切に吊り張り移動／収納移動し、且つ移動時の安全性に優れたネット又はシート等の吊張体の吊張／収納システムを提供することを課題とする。
【課題を解決するための手段】
【００１２】本発明は上記課題を解決するためのネット又はシート等の吊張体の移動システムの解決手段は、請求項１に記載のように、空間部の所望の箇所に設けられたウインチのドラムを回転駆動して空間部の上部側でその上端側を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の吊張体を空間部に吊り張りし、又は前記ワイヤロープ等の吊張用紐状体を巻き取り移動することでネット又はシート等の吊張体を空間部の上部側に収納するネット又はシート等の吊張体の吊張／収納システムにおいて、前記ネット又はシート等の吊張体を吊り張りする際、該ネット又はシート等の吊張体の側面側に設けられた側面調整手段を用いて空間部の側面側の形状に応じて側面を吊り張り調整しながらネット又はシート等の吊張体を吊り張りすることを特徴とする。
【００１３】また、ネット又はシート等の吊張体の移動システムの第２の解決手段は、請求項２に記載のように、空間部の所望の箇所に設けられたウインチのドラムを回転駆動して空間部の上部側でその上端側を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の吊張体を空間部に吊り張りし、又は前記ワイヤロープ等の吊張用紐状体を巻き取り移動することでネット又はシート等の吊張体を空間部の上端側に収納するネット又はシート等の吊張体の吊張／収納システムにおいて、前記ネット又はシート等の吊張体を吊り張りする際、空間部の側面側の形状に応じてネット又はシート等の吊張体の側面側を引っ張り調整しながらネット又はシート等の吊張体の側面側に補助ネット又はシート等の吊張体を吊り張りし、ネット又はシート等の吊張体を収納する際、ネット又はシート等の吊張体の側面側を引っ張り調整しながら空間部の上部側に収納することを特徴とする。
【発明の作用・効果】
【００１４】次に、本発明の第１のネット又はシート等の吊張体の吊張／収納システムの作用及び効果について記載する。
【００１５】ネット又はシート等の吊張体は、空間部の吊り張り方向に沿ってその上端側を空間部の上部側に直接（例えば、天井の梁等に固定する）、又は空間部の上部側に取り付けられた連結体（横方向に連結したワイヤーロープ等）を介して固定状態に取り付ける。
【００１６】ウインチは、屋内外の所望の空間部の形状に応じて、例えば、屋内空間部では天井の梁等に、また天井部分に適切な設置位置がない場合は、床面側に、屋外空間部では空間部を形成する支持柱に又は地面側に一定の間隔を設けて複数台を設置し、制御盤でその駆動順、駆動時間等を制御する。
【００１７】各ウインチのドラムに巻回されたワイヤロープ等の吊張用紐状体は、前記ネット又はシート等の吊張体の上端側より下端側に沿って直線状に取り付けられた挿通体に沿って移動自在に挿通した後、該ネット又はシート等の吊張体の下端側（空間部の形状、ネット又はシート等の吊張体の形状に応じて側面、上部等に自在に設定）でその先端を錘体等に連結する。
【００１８】ネット又はシート等の吊張体は使用しない場合は、通常空間部の上部側の固定した上端側に挿通体部分で折り畳んだ状態で収納している。
【００１９】ネット又はシート等の吊張体を吊り張りする場合を説明する。
【００２０】先ず、複数台のウインチを駆動し各ドラムをそれぞれ回転して、該ドラムに巻回されたワイヤロープ等の吊張用紐状体をドラムより順次引き出しネット又はシート等の吊張体に取り付けられた挿通体に沿って下方側へ移動する。
【００２１】これにより、ネット又はシート等の吊張体は下方側へ移動するワイヤロープ等の吊張用紐状体に従って下方側より段階的に広げながら吊り張りを行い空間部の下端に錘体等が移動することで、ワイヤロープ等の吊張用紐状体に沿って空間部を間仕切りする。
【００２２】この際、ネット又はシート等の吊張体の側面側には、側面調整手段が設けられているために、空間部の形状に応じでネット又はシート等の吊張体の側面を広げ（ネット又はシート等の吊張体を側面側に沿って）ながら吊り張り移動して、適切に空間部を間仕切りすることができる。
【００２３】このように、大空間部であっても、ネット又はシート等の吊張体を適切に広げた状態で吊り張りすることができ、ワイヤロープ等の吊張用紐状体もドラムよりスムーズに引き出し移動することができるため、従来のようなネット又はシート等の吊張体の吊り張り後の側面を広げる調整作業を必要とすることなく、確実に吊り張り移動することができる。
【００２４】しかも、ネット又はシート等の吊張体を空間部の上端側より引き出されたワイヤロープ等の吊張用紐状体と側面の調整手段とにより吊り張り移動するために、ネット又はシート等の吊張体の吊り張り時のトラブル（ネット又はシート等の吊張体の撓みや捩じれ、ワイヤロープ等の吊張用紐状体の撓みや弛み等）を解消した状態で吊り張りすることができる。
【００２５】また、側面の調整手段も空間部の形状に応じて、ネット又はシート等の吊張体の一側面又は両側面に設けることで、あらゆる形状の空間部に対応することができる。
【００２６】次に、上記吊り張りしたネット又はシート等の吊張体を再度収納移動して空間部を開放する場合について説明する。
【００２７】先ず、上記ネット又はシート等の吊張体で空間部を間仕切り等した状態よりネット又はシート等の吊張体を収納して空間部を開放する場合は、各ウインチを駆動しドラムを上記と逆方向に回転してワイヤロープ等の吊張体紐状体をドラムに順次巻き取り移動することで、ワイヤロープ等の吊張体紐状体をネット又はシート等の吊張体に取り付けられた挿通体に沿って移動し、その先端側の錘体部分よりネット又はシート等の吊張体を挿通体部分で折り返しながら折り畳み空間部の上部側へ移動して、ネット又はシート等の吊張体の固定された上端側近傍で停止することで収納を終え空間部を開放する。
【００２８】この際、ネット又はシート等の吊張体の側面側に設けられた側面調整手段を解除することで、ネット又はシート等の吊張体を空間部の上部側のワイヤロープ等の吊張体紐状体のみで折り畳みながら上方に移動でき、スムーズな収納移動を行うことができる。
【００２９】また、大空間部であっても、ネット又はシート等の吊張体をトラブルなく収納することができ、ワイヤロープ等の吊張用紐状体もドラムにスムーズに巻き取り移動することができる。
【００３０】さらに、ネット又はシート等の吊張体の側面側を調整しながら吊り張り移動及び収納移動を行うために、ネット又はシート等の吊張体の下端側に錘体を取り付ける場合であっても、従来に比しネット又はシート等の吊張体の大きさに係わらず重量を軽して対応することができ、安全性においても格段に向上して対応することができる。
【００３１】また、本発明の第２のネット又はシート等の吊張体の吊張／収納システムの作用及び効果について記載する。
【００３２】ネット又はシート等の吊張体を吊り張りする場合を説明する。
【００３３】先ず、複数台のウインチを駆動し各ドラムをそれぞれ回転して、該ドラムに巻回されたワイヤロープ等の吊張用紐状体をドラムより順次引き出しネット又はシート等の吊張体に取り付けられた挿通体にそって下方側へ移動する。
【００３４】これにより、ネット又はシート等の吊張体は下方側へ移動するワイヤロープ等の吊張用紐状体に従って下方側より段階的に広げながら空間部の下端に錘体等が移動することで、空間部を間仕切りする。
【００３５】この際、同時にネット又はシート等の吊張体の側面側を引っ張り調整してネット又はシート等の吊張体を広げた状態で吊り張りしながら該側面部分の形状に応じた補助ネット又はシート等の吊張体を取り付けることで、補助ネット又はシート等の吊張体で側面側を引っ張りながら空間部全体を適切に間仕切りすることができる。
【００３６】また、補助ネット又はシート等の吊張体により、ネット又はシート等の吊張体の側面側の引っ張り状態を維持することができるために、ネット又はシート等の吊張体の適切な吊り張りを連続して維持することができる。
【００３７】次に、上記吊り張りしたネット又はシート等の吊張体を再度収納移動して空間部を開放する場合について説明する。
【００３８】先ず、上記ネット又はシート等の吊張体で空間部を間仕切り等した状態よりネット又はシート等の吊張体を収納して空間部を開放する場合は、各ウインチを駆動しドラムを上記と逆方向に回転してワイヤロープ等の吊張体紐状体をドラムに順次巻き取り移動することで、ワイヤロープ等の吊張体紐状体をネット又はシート等の吊張体に取り付けられた挿通体に沿って移動し、その先端側の錘体部分よりネット又はシート等の吊張体を挿通体部分で折り返しながら折り畳み空間部の上部側へ移動して、ネット又はシート等の吊張体の固定された上端側近傍で停止することで収納し空間部を開放する。
【００３９】この際、ネット又はシート等の吊張体の側面側を引っ張り調整しながら、ネット又はシート等の吊張体を空間部の上部側に折り畳みながら上方に移動でき、スムーズな収納移動を行うことができる。
【００４０】この際、上記補助ネット又はシート等の吊張体は取り付けたまま、又は取り外して収納する。
【００４１】このように、収納時においても、ネット又はシート等の吊張体を適切に折り畳んで収納することができ、スムーズなネット又はシート等の吊張体の収納を可能とする。
【００４２】本発明のネット又はシート等の吊張体の吊張／収納システムはネット又はシート等の吊張体を吊り張り移動する場合は適切に広げた状態でスムーズに吊り張り移動することができるために、空間部の適切なネット又はシート等の吊張体の吊り張りができ、収納移動する場合はスムーズに空間部の上部側に収納移動することができるので、従来のシステムに比し、安全性にとみ、且つ故障なく作業することができる。
【００４３】また、ネット又はシート等の吊張体の大きさを限定することなく、空間部の大きさに対応して、ネット又はシート等の吊張体を吊り張り及び収納することができる。
【００４４】さらに、補助ネット又はシート等の吊張体を取り付けることで空間部の形状に応じてネット又はシート等の吊張体を吊り張り及び収納することができる。
【００４５】しかも、側面調整手段の設置／取り外しも容易であるために、従来のシステムに対しても追加して設置することができる。
【００４６】また、常に適切にネット又はシート等の吊張体を吊り張りすることができ、また、収納時においてもスムーズな収納ができるためにその作業効率を格段に上げることができるとともに、メンテナンスにおいても、従来に比し短時間で対応することができる。
【発明を実施するための最良の実施の形態】
【００４７】以下、本発明のウインチを用いたネット又はシート等の吊張体の収納システムの一実施例について図面を用いて説明する。
【００４８】図１は本発明のネット又はシート等の吊張体の吊張／収納移動システムの実施例を示す概略説明図であり、図２はネット又はシート等の吊張体の吊張／収納移動システムの収納状態を示す概略説明図であり、図３は本発明のネット又はシート等の吊張体の吊張／収納移動システムの側面調整手段の他実施例を示す概略説明図であり、図４は本発明のネット又はシート等の吊張体の吊張／収納移動システムにおいて、補助ネット又はシート等の吊張体を取り付けた場合を示す概略説明図であり、図５はネット又はシート等の吊張体の吊張／収納移動システムを示すフローチャートであり、図６はネット又はシート等の吊張体を吊張／収納するのに使用するウインチの他実施例をを示す概略説明図である。
【００４９】本発明のネット又はシート等の吊張体の吊張／収納システムの一実施例について説明する。
【００５０】本発明のネット又はシート等の吊張体の吊張／収納システムは、大空間部Ａの上部側、又は側面側等に沿って一定の間隔で直接又は枠台（図示せず）を用いて等間隔で設置された複数個の巻取方式のウインチ１（ネット又はシート等の吊張体の面積に応じて数が決定される）と、該巻取方式のウインチ１の巻回ドラム２に巻回された吊張用紐状体３を引き出し方向を決定すべく巻取式ウインチ１の近傍に取り付けられた近傍滑車４と、該滑車４を介して下方側へ引き出された複数の吊張用紐状体３に連結された吊張体５としてのネット（屋外、又は設置条件によってはシート（本発明においてシートとは布、ラバー、樹脂製も含む）、防音機能を有する新素材も含む）とから構成されている。
【００５１】尚、巻取方式のウインチ１の近傍に取り付けられる滑車４の数は、取り出された吊張用紐状体３と巻取方式のウインチ１との設置位置との関係、又は巻取方式のウインチ１と吊張体５の吊り張り位置との関係で決定され、滑車４を必要としない場合、又第２、第３の滑車を用いることも可能である。
【００５２】本発明において吊張用紐状体３の種類は、吊張体５の大きさ（面積や長尺方向の長さ）や、屋内又は屋外等の条件で決定されるために、ワイヤロープに限定されるものでなく樹脂製のロープ、その他近年開発された各種ロープを含むものである。
【００５３】上記の巻取方式のウインチ１は、基本的にウインチ本体と駆動源とから構成され、ウインチ本体には駆動源に連結（直接的／間接的）し回転駆動（手動電動又はアシスト電源で回転駆動する構成等その駆動手段は目的に応じて自在に選択することができる）する駆動軸と、該駆動軸に設けられた巻回ドラム２が設けられている。
【００５４】上記吊張体５の上端側は、空間部Ａ上部側で吊り張り方向に沿って複数箇所で固定された吊り張りワイヤロープ等の固定紐状体６に取り付けることで、上端側の取り付け位置が決定されている。尚、吊張体５の上端部の固定は固定紐状体６に限定するものでなく、例えば、連結具を介して直接吊張体５の上端部を取り付けることも可能であり、また、空間部Ａの上部側に沿って固定された状態で吊り張りした別体の吊張体（図示せず）の下方側に直接、又は別体の吊張体の横方向に沿って取り付けられたワイヤロープ等の固定紐状体に間接的に連接固定することも可能である。要は、吊張体５の上端側が空間部の上部側で固定されていればその固定方法は問うものでない。
【００５５】吊張用紐状体３と吊張体５との連結は、吊張体５の縦方向で所望の間隔で直線状に複数個取り付けられた挿通体７としてのリング体に吊張用紐状体３を挿通し、該吊張体５の下端部側で吊張用紐状体３の先端側を錘体８に固定連結している。尚、吊張用紐状体３の先端側の錘体８との連結は、３６０度回動可能な回動体（図示せず）を介して取り付けることで、吊張用紐状体３の引き出し移動及び巻き取り移動時に該吊張用紐状体３に発生する捩じれを解消しながら移動することができる。
【００５６】尚、上記において挿通体７としてのリング体を使用したが、本発明の挿通体７はリング体に限定されるものでなく、例えば挿通体を吊張体５に取り付ける部分を吊張体５と同じ材質で直線の筒状に形成し、該筒状の部分に吊張用紐状体３を挿通することも可能である。
【００５７】上記各吊張用紐状体３に長さ調整が必要な場合（例えば、円弧状の空間部の場合）は、最も長い吊張用紐状体３を必要とする部分を基準として、順次短くなる部分へと段階的な調整を行うことで対応する。
【００５８】上記巻取方式のウインチ１は、予め吊張用紐状体３の長さ調整等が行われているために、それぞれ制御盤（図示せず）を用いて容易に順次駆動することができる。尚、制御盤を用いる事は必須の構成ではなく、例えば、巻取方式のウインチ１を個々に駆動することで、対応することも可能である。
【００５９】前記吊張体５の両側面側には、本発明の特徴となる側面調整手段が設けられている。
【００６０】本発明において側面調整手段は、調整用の巻取方式のウインチ１０と、該ウインチ１０の巻回ドラム２に巻回され、先端側を空間部Ａの側面側に取り付けられた滑車１２を介して吊張体５の両側面側に設けられた吊張用紐状体３に所望の位置（側面上部側等）で連結した複数の調整用紐状体１１とから構成されている。
【００６１】上記側面調整手段は、吊張用紐状体３を巻取方式のウインチ１で引き出し移動する際、吊張体５の両側面側の吊張用紐状体３を調整用紐状体１１で吊張体５を空間部Ａの側面側に所望の強さ（適切に吊張体５が広がった状態を維持する強さ）で引っ張るべく巻取方式のウインチ１０で巻き取り移動し、吊張用紐状体３を巻取方式のウインチ１で巻き取り移動する際、吊張用紐状体３を調整用紐状体１１で吊張体５を空間部Ａの側面側に所望の強さ（ゆるやかに吊張体５が広がった状態を維持する強さ）で引っ張るべく巻取方式のウインチ１０で引き出し移動する。
【００６２】これにより、吊張体５は両側面側が常に適切に引っ張られた状態で吊り張り、及び収納されることとなる。
【００６３】次に、上記のように構成されたネット又はシート等の吊張体の吊張／収納システムを、屋内の大空間部Ａで使用する場合について説明する。
【００６４】先ず、所望の空間部Ａの上部側の形状、フィールド面の形状、及び空間部の大きさに応じて、必要とする数の巻取方式のウインチ１を空間部Ａの上部側の吊り張り横方向に一定の間隔を開けて複数台設置する。
【００６５】その後、前記空間部Ａの上部側の吊り張り横方向に沿って、ワイヤロープ等の固定紐状体６を複数の箇所固定して架設する。
【００６６】次に、吊張体５の上端側を前記固定紐状体６に取り付ける。これにより、吊張体５の吊り張り時の上端側及び吊張体５の収納時の位置が決定されることとなる。
【００６７】次に、各巻取方式のウインチ１の巻回ドラム２を回転駆動し巻回ドラム２に巻回された吊張用紐状体３をそれぞれ連動して引き出し移動し、天井側に取り付けられた滑車４を介してフィールド面に達する位置まで引き出し移動することで、吊張用紐状体３は吊張体５の上端側より下端側に沿って直線状（縦方向）に設けられた挿通体７に挿通された状態で移動し、吊張体５の下端側で各吊張用紐状体３の先端を錘体８に連結する。
【００６８】そして、調整用の巻取方式のウインチ１０を吊張体５の両側面側に設置し、該ウインチ１０の巻回ドラムに巻回された調整用紐状体１１を両側面側にそれぞれ取り付けられた滑車１２を介して引き出し移動し、その先端を吊張体５の両端側に設けられた吊張用紐状体３に所望の間隔で固定する。
【００６９】そして、各ウインチ１の巻回ドラム２を上記と逆方向に回転駆動し、上端側との高さに応じて各吊張用紐状体３を所望量巻き取り移動して調整することで、吊張体５を空間部Ａに吊り張りするとともにウインチ１０の巻回ドラム２に巻回された調整用紐状体１１を引っ張った状態で巻き取り移動し、吊張体５の両側面側を側面側に引っ張って空間部Ａの形状に応じて広げた状態で、吊張体５を吊り張り調整することができる。
【００７０】尚、この調整した各吊張用紐状体３の長さを制御盤に設定することで、以後の各吊張用紐状体３の引き出し及び巻き取り量が適切に決定することが可能となる。
【００７１】これにより、吊張体５を空間部Ａの上部側に沿って間仕切り用として、又は防球用として使用することができる。
【００７２】次に、吊張体５を上記空間部Ａの上端側に沿って収納する場合について説明する。
【００７３】先ず、制御盤によりその駆動を制御した状態で各巻取式ウインチ１の巻回ドラム２を回転駆動し、巻回ドラム２に巻回された各吊張用紐状体３をその長さに応じて滑車４の近傍まで巻き取り移動する。この際も、ウインチ１０の巻回ドラム２に巻回された調整用紐状体１１を引っ張った状態で、収納に応じて引き出し移動することで、吊張用紐状体３を調整用紐状体１１で引っ張った状態とする。
【００７４】上記各吊張用紐状体３の巻き取り、及び調整用紐状体１１の適切な引っ張っりにより、吊張体５は挿通体７部分で適切に折り返しながら下方側より多重に折り畳んで上端側へ移動し、固定紐状体６の近傍に位置することで、吊張体５を空間部Ａの上部側に収納できる。
【００７５】これにより、空間部Ａが開放されることとなり、他の目的で屋内空間部Ａを使用することができる。
【００７６】従って、吊張体５の吊り張り移動時、及び収納移動時に巻回ドラム２に巻回された吊張用紐状体３は乱巻きが発生することなく、また、吊張体５部分での吊張用紐状体３の捩じれや撓みが発生することなく、従来のネット又はシート等の吊張体の吊張／収納システムのように頻繁なメンテナンスを必要とすることなく、常に最適な吊張体５の吊り張り及び収納を可能とする。
【００７７】また、ウインチ１による吊張用紐状体３の引き出し／巻き取り移動時に、側面調整手段としての巻取方式のウインチ１０で調整用紐状体１１を巻き取り移動することで、吊張体５を常に引っ張った状態で吊り張りし、また収納することができるので、大面積を有する吊張体５であっても、また長尺状の吊張体５であっても常に適切に広げて吊り及び収納することができる。
【００７８】さらに、吊張体５の側面側の引っ張りも巻取方式のウインチ１０で自在に微調整することができるので、吊張体５の種類に応じて対応することも可能である。
【００７９】次に、再度空間部Ａを間仕切る場合は、上記と同様に制御盤により各巻取式ウインチ１の巻回ドラム２を回転駆動し巻回ドラム２に巻回された吊張用紐状体３をそれぞれ引き出し移動し、天井側に取り付けられた滑車４を介して床面側まで引き出し移動することで吊張体５を下方より広げながら吊り張りできる。
【００８０】この際、該吊張体５の両側面側は、ウインチ１０の巻回ドラム２に巻回された調整用紐状体１１を巻き取り移動することで吊張体５の両側面側を引っ張った状態で吊り張りすることができる。
【００８１】このように、本発明は、常に適切に吊張体５を空間部の上端側に収納及び空間部に沿って吊り張り移動することができる。
【００８２】尚、上記実施例では、側面調整手段を調整用の巻取方式のウインチ１０と、該ウインチ１０に巻回され、先端側を滑車１２を介して吊張体５の両側面側に設けられた吊張用紐状体３に所望の位置で連結した複数の調整用紐状体１１とから構成したが、本発明において、側面調整手段はこの構成に限定されるものでなく、例えば、吊張体５の両側面側の上下方向にガイドワイヤー２１を取り付け該ガイドワイヤー２１にリング体２２を介して連結紐状体２２を吊張体５の両側面側の吊張用紐状体３に連結すべく構成することも可能であり、また、ガイドワイヤー２１を巻取方式のウインチ３０で巻き取るように構成することも可能である。
【００８３】また、上記実施例では側面調整手段を吊張体５の両側面側に設けたが、本発明の側面調整手段の取り付けはこれに限定されるものでなく、例えば、空間部の形状に応じて吊張体５の片方の側面のみに側面調整手段を取り付けることも可能であり、また吊張体５の両端側に補強用ワイヤーとしての紐状体を取り付けることで、該紐状体の直線状の延びと紐状体の荷重とにより吊張体５の側面側を引っ張るように構成することも可能である。
【００８４】また、上記実施例では、空間部Ａ上方の形状に応じて固定紐状体６を複数の固定箇所を介して架設し吊張体５の上端側を前記固定紐状体６に取り付けたが、本発明において吊張体５の上端側の固定はこれに限定されるものでなく従来より公知の梁等への縫い付け方法等を用いることも可能である。
【００８５】また、本発明のネット又はシート等の吊張体の吊張／収納システムの他の実施例として、ネット又はシート等の補助吊張体４０を設けるシテスムも可能である。この場合は、上記調整用紐状体１１を吊張体５の両側面の上下位置（例えば、屋内空間部の側面周囲にある観客席等により側面より突出した部分によりその下方側に空間部が生じる場合にその空間部の形状に応じた位置）に取り付けて（取り付けは吊張体５の側面の上下方向に取り付けた調整用紐状体１１を利用して）引っ張り、該調整用紐状体１１に補助吊張体４０を取り付けることで、空間部を吊張体５と補助吊張体４０とで適切に間仕切り等適切に吊り張りすることができる。補助吊張体４０は吊張体５の収納時にいっしょに折り畳んで収納してもよく、また、取り外してもよい。この際、調整用紐状体１１と補助吊張体４０とで吊張体５の側面を容易に引っ張ることができ、吊張体５は中央に集まることなく適切な広がりを維持することができる。
【００８６】このように、空間部の側面側に変形部分があり、１枚の吊張体５のみでは適切に間仕切りできない場合に、補助吊張体４０を用いることであらゆる空間部に対応して適切に間仕切りできる。
【００８７】また、上記補助吊張体４０は一枚で形成することに限定するものでなく、出入口等を設ける場合は複数枚で形成することも可能である。
【００８８】さらに、上記補助吊張体４０を直接吊張体５の側面に連結することも可能である。
【００８９】また、上記実施例では巻取方式のウインチ１を複数台設置して、吊張用紐状体３を引き出し及び巻き取り移動したが、本発明においてウインチ１は巻取方式のウインチ１に限定されるものでなく、例えば、エンドレス方式のウインチと巻取リングとを併設して、吊張用紐状体３を引き出し及び巻き取り移動することも可能である。
【００９０】さらに、上記実施例では巻取方式のウインチ１を複数台設置したが、本発明においてウインチ１はこれに限定されるものでなく、例えばウインチ１の駆動軸に複数個の巻回ドラム２を取り付けることで、１台で複数の吊張用紐状体３を引き出し及び巻き取り移動することも可能であり、また、ウインチ１の駆動軸に筒状の長尺状の巻回ドラム２を取り付けることで、複数の吊張用紐状体３を同時に引き出し及び巻き取り移動することも可能である。
【００９１】また、上記実施例では、吊張用紐状体３の先端に錘体８を連結したが、本発明において吊張用紐状体３の先端に錘体８を連結することは必須の構成ではなく、例えば、吊張用紐状体３の先端を吊張体５の下端側を通って再度空間部の上部側に移動し、上部側で固定することも可能であり、また、吊張体５の中間部分に連結することで、吊張体５の収納時の収納量を調整（吊張用紐状体３を取り付けた上部側は折り畳むことができず、下部側のみを折り畳むことができる）することも可能である。
【００９２】また、上記実施例では、吊張体５で空間部Ａの一方向のみを間仕切りしたが、本発明において吊張体５の設置位置はこれに限定されるものでなく、空間部の周囲全体（コの字状に、又は□状に）取り付けることも可能である。
【図面の簡単な説明】
【００９３】
【図１】本発明のネット又はシート等の吊張体の吊張／収納移動システムの実施例を示す概略全体説明図
【図２】ネット又はシート等の吊張体の吊張／収納移動システムの収納状態を示す概略説明図
【図３】本発明のネット又はシート等の吊張体の吊張／収納移動システムの他実施例を示す概略全体説明図
【図４】本発明のネット又はシート等の吊張体の吊張／収納移動システムにおいて、補助ネット又はシート等の吊張体を取り付けた場合を示す概略説明図
【図５】ネット又はシート等の吊張体の吊張／収納移動システムを示すフローチャート
【図６】図６はネット又はシート等の吊張体を吊張／収納するのに使用するウインチの他実施例をを示す概略説明図
【符号の説明】
【００９４】１…巻取方式のウインチ、３…吊張用紐状体、５…吊張体
【図１】
2011115535.tif 000003
【図２】
2011115535.tif 000004
【図３】
2011115535.tif 000005
【図４】
2011115535.tif 000006
【図５】
2011115535.tif 000007
【図６】
2011115535.tif 000008
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
空間部の所望の箇所に設けられたウインチを回転駆動して空間部の上部側でその上端側を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の吊張体を空間部に吊り張りし、又は前記ワイヤロープ等の吊張用紐状体を巻き取り移動することでネット又はシート等の吊張体を空間部の上部側に収納するネット又はシート等の吊張体の吊張／収納システムにおいて、前記ネット又はシート等の吊張体を吊り張りする際、該ネット又はシート等の吊張体の側面側に設けられた調整用紐状体を巻き取り移動してネット又はシート等の吊張体の側面側を所望の強さで引っ張りながら、又は側面側の上下方向に取り付けたガイドワイヤーに連結することで空間部の側面側の形状に応じて側面を吊り張り調整しながらネット又はシート等の吊張体を吊り張りし、及びネット又はシート等の吊張体を収納する際、該ネット又はシート等の吊張体の側面側に設けられた調整用紐状体を引き出し移動してネット又はシート等の吊張体を所望の強さで引っ張りながら、又は側面側の上下方向に取り付けたガイドワイヤーに連結することで空間部の上部側に収納することを特徴とするネット又はシート等の吊張体の吊張／収納システム。
【手続補正２】
【補正対象書類名】明細書
【補正対象項目名】００１２
【補正方法】変更
【補正の内容】
【００１２】本発明は上記課題を解決するためのネット又はシート等の吊張体の移動システムの解決手段は、請求項１に記載のように、空間部の所望の箇所に設けられたウインチを回転駆動して空間部の上部側でその上端側を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の吊張体を空間部に吊り張りし、又は前記ワイヤロープ等の吊張用紐状体を巻き取り移動することでネット又はシート等の吊張体を空間部の上部側に収納するネット又はシート等の吊張体の吊張／収納システムにおいて、前記ネット又はシート等の吊張体を吊り張りする際、該ネット又はシート等の吊張体の側面側に設けられた調整用紐状体を巻き取り移動してネット又はシート等の吊張体の側面側を所望の強さで引っ張りながら、又は側面側の上下方向に取り付けたガイドワイヤーに連結することで空間部の側面側の形状に応じて側面を吊り張り調整しながらネット又はシート等の吊張体を吊り張りし、及びネット又はシート等の吊張体を収納する際、該ネット又はシート等の吊張体の側面側に設けられた調整用紐状体を引き出し移動してネット又はシート等の吊張体を所望の強さで引っ張りながら、又は側面側の上下方向に取り付けたガイドワイヤーに連結することで空間部の上部側に収納することを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００２２
【補正方法】変更
【補正の内容】
【００２２】この際、ネット又はシート等の吊張体の側面側には、調整用紐状体を巻き取り移動してネット又はシート等の吊張体の側面側を所望の強さで引っ張りながら、空間部の形状に応じてネット又はシート等の吊張体の側面側を広げ（ネット又はシート等の吊張体を側面側に沿って）ながら吊り張り移動して、適切に空間部を間仕切りすることができる。また、ネット又はシート等の吊張体の側面側には、上下方向に取り付けられたガイドワイヤーに連結することで、空間部の形状に応じてネット又はシート等の吊張体の側面側を広げながら吊り張り移動する。
【手続補正５】
【補正対象書類名】明細書
【補正対象項目名】００２４
【補正方法】変更
【補正の内容】
【００２４】しかも、ネット又はシート等の吊張体を空間部の上端側より引き出されたワイヤロープ等の吊張用紐状体と側面の調整用紐状体、又はガイドワイヤーにより吊り張り移動するために、ネット又はシート等の吊張体の吊り張り時のトラブル（ネット又はシート等の吊張体の撓みや捩じれ、ワイヤロープ等の吊張用紐状体の撓みや弛み等）を解消した状態で吊り張りすることができる。
【手続補正６】
【補正対象書類名】明細書
【補正対象項目名】００２５
【補正方法】変更
【補正の内容】
【００２５】また、調整用紐状体、又はガイドワイヤーも空間部の形状に応じて、ネット又はシート等の吊張体の一側面又は両側面に設けることで、あらゆる形状の空間部に対応することができる。
【手続補正７】
【補正対象書類名】明細書
【補正対象項目名】００２８
【補正方法】変更
【補正の内容】
【００２８】この際、ネット又はシート等の吊張体の側面側に設けられた、調整用紐状体の引き出し移動、又はガイドワイヤーへの連結を解除することで、ネット又はシート等の吊張体を空間部の上部側のワイヤロープ等の吊張用紐状体のみで折り畳みながら上方に移動でき、スムーズに巻き取り移動することができ、スムーズな収納移動を行うことができる。
【手続補正８】
【補正対象書類名】明細書
【補正対象項目名】００４５
【補正方法】変更
【補正の内容】
【００４５】しかも、調整用紐状体及びガイドワイヤーの設置／取り外しも容易であるために、従来のシステムに対して追加して設置することができる。
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
空間部の所望の箇所に設けられたウインチを回転駆動して空間部の上部側でその上端部を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の吊張体を空間部に吊り張りし、又は前記ワイヤロープ等の吊張用紐状体を巻き取り移動することでネット又はシート等の吊張体を空間部の上部側に収納するネット又はシート等の吊張体の吊張／収納システムにおいて、前記ネット又はシート等の吊張体を吊り張りする際、該ネット又はシート等の吊張体の側面側に設けられた調整用紐状体を巻取方式のウインチで巻き取り移動してネット又はシート等の吊張体の側面側を所望の強さで引っ張りながら空間部の側面側の形状に応じて側面を吊り張り調整しながらネット又はシート等の吊張体を吊り張りし、及びネット又はシート等の吊張体を収納する際、該ネット又はシート等の吊張体の側面側に設けられた調整用紐状体を巻取方式のウインチで引き出し移動してネット又はシート等の吊張体を所望の強さで引っ張りながら空間部の上部側に収納することを特徴とするネット又はシート等の吊張体の吊張／収納システム。
【請求項２】
空間部の所望の箇所に設けられたウインチを回転駆動して空間部の上部側でその上部側を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の吊張体を空間部に吊り張りし、又は前記ワイヤロープ等の吊張用紐状体を巻き取り移動することでネット又はシート等の吊張体を空間部の上部側に収納するネット又はシート等の吊張体の吊張／収納システムにおいて、前記ネット又はシート等の吊張体を吊り張りする際、側面側の上下方向に取り付け巻取方式のウインチで構成したガイドワイヤーに連結することで空間部の側面側の形状に応じて側面を吊り張り調整しながらネット又はシート等の吊張体を吊り張りし、及びネット又はシート等の吊張体を収納する際、側面側の上下方向に取り付け巻取方式のウインチで構成したガイドワイヤーに連結することで空間部の上部側に収納することを特徴とするネット又はシート等の吊張体の吊張／収納システム。
【手続補正２】
【補正対象書類名】明細書
【補正対象項目名】００１２
【補正方法】変更
【補正の内容】
【００１２】本発明は上記課題を解決するためのネット又はシート等の吊張体の移動システムの解決手段は、請求項１に記載のように、空間部の所望の箇所に設けられたウインチを回転駆動して空間部の上部側でその上端側を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の吊張体を空間部に吊り張りし、又は前記ワイヤロープ等の吊張用紐状体を巻き取り移動することでネット又はシート等の吊張体を空間部の上部側に収納するネット又はシート等の吊張体の吊張／収納システムにおいて、前記ネット又はシート等の吊張体を吊り張りする際、該ネット又はシート等の吊張体の側面側に設けられた調整用紐状体を巻取方式のウインチを巻き取り移動してネット又はシート等の吊張体の側面側を所望の強さで引っ張りながら空間部の側面側の形状に応じて側面を吊り張り調整しながらネット又はシート等の吊張体を吊り張りし、及びネット又はシート等の吊張体を収納する際、該ネット又はシート等の吊張体の側面側に設けられた調整用紐状体を巻取方式のウインチで引き出し移動してネット又はシート等の吊張体を所望の強さで引っ張りながら空間部の上部側に収納することを特徴とし、請求項２に記載のように、空間部の所望の箇所に設けられたウインチを回転駆動して空間部の上部側でその上端側を固定したネット又はシート等の吊張体の上端側より下端側に沿って直線状に取り付けられた挿通体に移動自在に挿通して、ネット又はシート等の吊張体の下端側等で固定したワイヤロープ等の吊張用紐状体を引き出し移動することでネット又はシート等の空間部に吊り張りし、又は前記ワイヤロープ等の吊張用紐状体を巻き取り移動することでネット又はシート等の吊張体を空間部の上部側に収納するネット又はシート等の吊張体の吊張／収納システムにおいて、前記ネット又はシート等の吊張体を吊り張りする際、側面側の上下方向に取り付け巻取方式のウインチで構成したガイドワイヤーに連結することで空間部の側面側の形状に応じて側面を吊り張り調整しながらネット又はシート等の吊張体を吊り張りし、及びネット又はシート等の吊張体を収納する際、側面側の上下方向に取り付け巻取方式のウインチで構成したガイドワイヤーに連結することで空間部の上部側に収納することを特徴とする。